(57)【要約】      （修正有）【課題】渦流速度調整可能な流体サイクロン装置であって、特にサイクロン本体内に渦流加速器を収納し、サイクロン内の分離速度を大幅に向上することのできる渦流速度調整可能な液体サイクロン装置を提供する。【解決手段】処理流体を導入する円筒部１２及び該円筒部に延設される円錐体１３からなるサイクロン本体１の内側縦方向に、内筒８及び外筒７からなる二重筒を配置し、該二重筒の周囲に生じる渦流の遠心力によってサイクロンの内壁に押し付けられた比重の重い物質が分離されて次第にサイクロン下部に濃縮されて排出されるサイクロン装置において、内筒の周囲で回転する渦流加速器を設け、該渦流加速器の回転速度を調節することにより、サイクロン本体内の渦流の流速を調節するように構成した。【選択図】図１
2014124632.tif 000002
【特許請求の範囲】
【請求項１】
処理流体を導入する円筒部及び該円筒部に延設される円錐体からなるサイクロン本体の内側縦方向に、内筒及び外筒からなる二重筒を配置し、該二重筒の周囲に生じる渦流の遠心力によってサイクロンの内壁に押し付けられた比重の重い物質が分離されて次第にサイクロン下部に濃縮されて排出されるサイクロン装置において、内筒の周囲で回転する渦流加速器を設け、該渦流加速器の回転速度を調節することにより、サイクロン本体内の渦流の流速を調節するように構成したことを特徴とする渦流速度調整可能な流体サイクロン装置。
【請求項２】
内筒と外筒との間隙が渦流加速器のインレットとなっており、渦流加速器のフィン間より渦流が放出されるアウトレットになっており、原動機とプーリーを介し、又は原動機直結で渦流加速器に固定されたシャフトを所定の回転数で回転させて、サイクロン本体内の渦流の流速を調節するように構成したことを特徴とする請求項１記載の渦流速度調整可能な流体サイクロン装置。
【請求項３】
外筒に設けられた流入口より圧送された処理流体が、内筒の側部より渦流加速器のインレットに導入され、渦流加速器で加速された処理流体はサイクロン本体内で渦流となり比重の重い物質が分離されて分離物排出口より分離物容器内へ排出される構成としたことを特徴とする請求項１記載の渦流速度調整可能な流体サイクロン装置。
【発明の詳細な説明】
【技術分野】
【０００１】  本発明は渦流速度調整可能な流体サイクロン装置であって、特にサイクロン本体内に渦流加速器を収納し、サイクロン内の分離速度を大幅に向上することのできる渦流速度調整可能な流体サイクロン装置を提供する。
【背景技術】
【０００２】  従来、流体サイクロンは流入口から供給された処理流体をサイクロン本体内で渦流として発生させ、渦流の遠心力で液中の固形分をサイクロン本体の内側側面に押し付けて分離し、分離された固形分は旋回しながら順次サイクロン下部に移動し濃縮されて排出され、固形分を除いた流体はサイクロン本体よりオーバーフローして排出される。【０００３】  従来のサイクロンでは搬送物全体をサイクロン本体内で渦流して分離しており、下記のような公報が公開されている。
【先行技術文献】
【特許文献】
【０００４】
【特許文献１】特開２００７−３８２００号公報「液体サイクロン」
【特許文献２】特開２００７−５４７７６号公報「液体サイクロン」
【発明の概要】
【発明が解決しようとする課題】
【０００５】  前記せるような流体サイクロンの本体内に、渦流加速器を備えて渦流速度を加速して分離効率を大幅に向上する渦流速度調整可能な液体サイクロン装置を提供することで、各種の産業分野におけるサイクロンの利用範囲を高めることが求められる。
【課題を解決するための手段】
【０００６】  処理流体を導入する円筒部及び該円筒部に延設される円錐体からなるサイクロン本体の内側縦方向に、内筒及び外筒からなる二重筒を配置し、該二重筒の周囲に生じる渦流の遠心力によってサイクロンの内壁に押し付けられた比重の重い物質が分離されて次第にサイクロン下部に濃縮されて排出されるサイクロン装置において、内筒の周囲で回転する渦流加速器を設け、該渦流加速器の回転速度を調節することにより、サイクロン本体内の渦流の流速を調節するように構成したことを特徴とし、内筒と外筒との間隙が渦流加速器のインレットとなっており、渦流加速器のフィン間より渦流が放出されるアウトレットになっており、原動機とプーリーを介し、又は原動機直結で渦流加速器に固定されたシャフトを所定の回転数で回転させて、サイクロン本体内の渦流の流速を調節するように構成したことを特徴とし、外筒に設けられた流入口より圧送された処理流体が、内筒の側部より渦流加速器のインレットに導入され、渦流加速器で加速された処理流体はサイクロン本体内で渦流となり、比重の重い物質が分離されて分離物排出口より分離物容器内へ排出される構成としたことを特徴とする渦流速度調整可能な流体サイクロン装置を提供する。
【発明の効果】
【０００７】  本発明の渦流速度調整可能な液体サイクロン装置によれば、サイクロン本体内に渦流加速器を収納し、渦流の流速を加速させることができるので、サイクロン内の分離速度を大幅に向上することができる。
【図面の簡単な説明】
【０００８】
【図１】  本発明に係る渦流速度調整可能な液体サイクロン装置の全体構成図である。
【図２】  渦流加速器の平面図である。
【図３】  渦流加速器の部分斜視図である。
【発明を実施するための形態】
【０００９】  以下、図面に基づいて本発明を実施するための形態を具体的に説明する。
ポンプ３を介してサイクロン本体１内へ導入された処理液２は、内筒８及び外筒７からなる二重筒体の周囲で渦流６となり、渦流６の遠心力で処理流体中の固形分を渦巻状加速ポンプケーシングの内側側面に押し付けて分離し、分離された固形分は旋回しながら順次サイクロン下部に移動し濃縮されてロータリーバルブ１４を経て重力分離物容器１５へ排出される。
【００１０】  固形分が除かれた処理流体２は、内筒下端吸引口８１より吸引され、渦流加速器４に挿通された内筒８を経て内筒排出口８２を経て排出口１７より排出される。
【００１１】  また、小径のサイクロン装置においては、前記せる内筒８をシャフトとして機能させる構成とすることも可能である。
【００１２】  処理流体２を導入する円筒部１２及び該円筒部１２に延設される円錐体１３からなるサイクロン本体１の内側縦方向に、内筒８及び外筒７からなる二重筒体を配置し、該二重筒体の周囲に生じる渦流６の遠心力によってサイクロン本体１の内壁に押し付けられた固形分が分離されて次第にサイクロン下部に濃縮されて排出されるサイクロン装置において、外筒７の周囲で回転する渦流加速器４を設け、該渦流加速器４の回転速度を調節することにより、サイクロン本体１内の渦流６の流速を調節することができる。
【００１３】  内筒８と外筒７との間隙より渦流加速器４のインレット７１に連結されており、渦流加速器４のフィン４１間より渦流が放出されるアウトレット５になっている。
【００１４】  原動機９とプーリー１０を介し、又は原動機直結で渦流加速器４に固定されたシャフト１１を所定の回転数で回転させることにより、サイクロン本体１内の渦流の流速を制御することができる。
【００１５】  外筒７に設けられた流入口１６より圧送された処理流体２が、内筒８の側部より渦流加速器４のインレット７１に導入され、渦流加速器４で加速された処理流体２はサイクロン本体１内で渦流となり比重の重い物質が分離されて分離物排出口８３より分離物容器８４内へ排出され、廃棄される。
【産業上の利用可能性】
【００１６】  本発明の渦流速度調整可能な液体サイクロン装置によれば、サイクロン本体内に渦流加速器を収納し、渦流の流速を加速させることができるので、サイクロン内の分離速度を大幅に向上することができ、各産業分野で利用される可能性の高いものである。
【符号の説明】
【００１７】  １．  サイクロン本体
２．  処理流体
３．  ポンプ
４．  渦流加速器
４１．  フィン
５．  アウトレット
６．  渦流
７．  外筒
７１．  インレット
７２．  隔壁及び二重管シール部
８．  内筒
８１．  内筒下端吸引口
８２．  内筒排出口
８３．  分離物排出口
８４．  分離物容器
９．  原動機
９１．  Ｖベルト
１０．  プーリー
１１．  シャフト
１２．  円筒部
１３．  円錐体
１４．  ロータリーバルブ
１５．  渦巻状加速ポンプケーシング
１６．  流入口
１７．  排出口
１８．  軸受
【図１】
2014124632.tif 000003
【図２】
2014124632.tif 000004
【図３】
2014124632.tif 000005